(57)【要約】【課題】機器間の距離や周囲の電波環境の影響により伝送路のビットレートが放送波のビットレートを下回った場合でも、映像データにブロックノイズが発生する現象や、音声データが途切れる現象が起きることを防止し、視聴者が快適に放送番組を視聴すること。【解決手段】伝送装置（１）のチューナ（１１）は、各種データを含むパケットが配列されて放送波（７）により伝送される放送信号を、受信放送信号として受信する。伝送装置（１）の伝送処理部（２０）は、伝送路（５）の実効レートが放送波（７）の受信実効レートよりも低いときに、受信放送信号のパケット列のうちの、受信装置（３）によってリアルタイムにデータを処理する必要のないパケットである非リアルタイムパケットパケット以外のパケットを、送信放送信号として受信装置（３）に伝送する。受信装置（３）は、送信放送信号を復号して得られたデータを出力する。【選択図】図１
2015198397.tif 000002
【特許請求の範囲】
【請求項１】
受信装置に対して伝送路で通信を行なう伝送装置であって、
各種データを含むパケットが配列されて放送波により伝送される放送信号を、受信放送信号として受信するチューナと、
前記伝送路の実効レートが前記放送波の受信実効レートよりも低いときに、前記受信放送信号のパケット列のうちの、前記受信装置によってリアルタイムにデータを処理する必要のないパケットである非リアルタイムパケット以外のパケットを、送信放送信号として前記受信装置に伝送する伝送処理部と、
を具備することを特徴とする伝送装置。
【請求項２】
前記伝送処理部は、
非リアルタイムパケットバッファと、
前記伝送路の実効レートが前記放送波の受信実効レートよりも低いときに、前記受信放送信号のパケット列のうちの、前記非リアルタイムパケットを前記非リアルタイムパケットバッファに格納し、それ以外のパケットを前記送信放送信号として前記受信装置に伝送する再構成制御部と、
を更に具備し、
再構成制御部は、前記伝送路の実効レートが前記放送波の受信実効レート以上になったときに、前記受信放送信号のパケット列に、前記非リアルタイムパケットバッファに格納された前記非リアルタイムパケットを付加して、前記送信放送信号として前記受信装置に伝送することを特徴とする請求項１に記載の伝送装置。
【請求項３】
前記再構成制御部は、前記伝送路の実効レートが前記放送波の受信実効レート以上になり、かつ、前記伝送路の実効レートと前記放送波の受信実効レートとの差分値が閾値以上であるときに、前記受信放送信号のパケット列に、前記非リアルタイムパケットバッファに格納された前記非リアルタイムパケットを付加して、前記送信放送信号として前記受信装置に伝送することを特徴とする請求項２に記載の伝送装置。
【請求項４】
前記非リアルタイムパケットのデータは、データ放送用のデータを含むことを特徴とする請求項１から３のいずれかに記載の伝送装置。
【請求項５】
請求項１から４のいずれかに記載の伝送装置と、前記伝送装置から伝送される送信放送信号を受信する受信装置と、を具備することを特徴とするデータ伝送システム。
【発明の詳細な説明】
【技術分野】
【０００１】
本発明は、受信装置に対して伝送路で通信を行なう伝送装置、及び、伝送装置と受信装置とを具備するデータ伝送システムに関する。
【背景技術】
【０００２】
利用者は、スマートフォンやタブレット等の端末で放送番組を視聴するためには、チューナを搭載した端末を利用しなければならない。ここで、チューナを備えた伝送装置と、上記端末である受信装置とが伝送路で無線（Ｗｉ−Ｆｉ（Wireless Fidelity））通信可能とする構成（この場合の伝送装置をＷｉ−Ｆｉチューナと呼ぶ）にすることにより、受信装置にチューナを搭載する必要はなくなる。この場合、受信装置に特殊なハードウェア（チューナ）を搭載することが不要なため、今後もこのようなＷｉ−Ｆｉチューナの利用が増えるものと思われる。
伝送装置のチューナは、各種データ（放送番組の映像データ、音声データ、字幕データなど）を含むパケットが配列されて放送波により伝送される放送信号（Transport Stream；以下、ＴＳとも称する）を、受信ＴＳとして受信する。伝送装置は、その受信ＴＳを送信ＴＳとして受信装置に伝送する。受信装置は、その送信ＴＳを復号して得られたデータを出力する。
ここで、伝送路のビットレートが放送波のビットレート以上である場合は、受信装置が受信する送信ＴＳは、伝送装置が受信ＴＳを受信したときの放送波の受信状況を反映したものとなる。そのため、伝送装置が放送波により受信ＴＳを良好に受信できている場合は、利用者は、受信装置により送信ＴＳから得られたデータを良好に視聴することができる。ビットレートは、放送波あるいは伝送路において、単位時間あたりにＴＳの伝送に割り当てることのできるデータ量を表している。
しかし、Ｗｉ−Ｆｉ通信のような無線通信では、周囲の電波環境の影響により、通信速度が低下する場合がある。この場合、Ｗｉ−Ｆｉ区間（伝送路）のビットレートが放送波のビットレートを下回ることが起こり得る。このような状態になると、伝送装置がチューナでの放送波の受信状態が良好で、誤りや欠落のないＴＳを受信ＴＳとして得られていても、受信装置が送信ＴＳから得られたデータとして放送番組の映像データ、音声データなどを出力したときに、伝送路でのデータ欠落により、映像データにブロックノイズが発生する現象や、音声データが途切れる現象が起きるという問題がある。
【０００３】
特許文献１には、ＡＶデータ（放送番組の映像データ、音声データ）に対するビットレートを変更する技術が開示されている。特許文献１に記載された技術では、複数の受信装置は１つの伝送路を共有するため、受信装置の台数が増えた場合、伝送路における１台あたりのビットレートを低下させるものであるが、放送番組（映像・音声）を視聴する利用者に対して違和感を与えてしまう。そこで、特許文献１に記載された技術では、受信装置の台数が増えて１台あたりのビットレートが低下する場合、利用者に対して違和感を与えないように、伝送装置が、受信装置の台数に応じて、伝送路のビットレートを徐々に下げている。
【先行技術文献】
【特許文献】
【０００４】
【特許文献１】特開２００９−２９６０２８号公報
【発明の概要】
【発明が解決しようとする課題】
【０００５】
しかしながら、特許文献１に記載された技術では、伝送可能なデータ量（スループット）が低下したときに、低下したスループットに合わせてＡＶデータのビットレートを低下させるものである。したがって、特許文献１に記載された技術では、上述の問題点に対して、映像データ、音声データのビットレートを調整することで行うために、伝送する映像データのフレームレートの低下や解像度の低下が伴い、視聴者は本来の品質の映像・音声を視聴することができない。
【０００６】
本発明は、上記の点に鑑みてなされたものであり、機器間の距離や周囲の電波環境の影響により伝送路の実効レートが放送波の実効レートを下回った場合でも、映像データにブロックノイズが発生する現象や、音声データが途切れる現象が起きることを防止し、視聴者が快適に放送番組を視聴することができる伝送装置、及び、データ伝送システムを提供することを目的とする。
【課題を解決するための手段】
【０００７】
本発明の伝送装置は、受信装置に対して伝送路で通信を行なう伝送装置であって、各種データを含むパケットが配列されて放送波により伝送される放送信号を、受信放送信号として受信するチューナと、前記伝送路の実効レートが前記放送波の受信実効レートよりも低いときに、前記受信放送信号のパケット列のうちの、前記受信装置によってリアルタイムにデータを処理する必要のないパケットである非リアルタイムパケット以外のパケットを、送信放送信号として前記受信装置に伝送する伝送処理部と、を具備する。
本発明のデータ伝送システムは、上記伝送装置と、前記伝送装置から伝送される送信放送信号を受信する受信装置と、を具備する。
本発明のデータ伝送方法は、受信装置に対して伝送路で通信を行なう伝送装置が、各種データを含むパケットが配列されて放送波により伝送される放送信号を、受信放送信号として受信するステップと、前記伝送路の実効レートが前記放送波の受信実効レートよりも低いときに、前記伝送装置が、前記受信放送信号のパケット列のうちの、前記受信装置によってリアルタイムにデータを処理する必要のないパケットである非リアルタイムパケット以外のパケットを、送信放送信号として前記受信装置に伝送するステップと、を具備する。
本発明のコンピュータプログラムは、上記データ伝送方法の各ステップをコンピュータに実行させる。
【発明の効果】
【０００８】
本発明によれば、機器間の距離や周囲の電波環境の影響により伝送路の実効レートが放送波の受信実効レートを下回った場合でも、映像データにブロックノイズが発生する現象や、音声データが途切れる現象が起きることを防止し、視聴者が快適に放送番組を視聴することができる。
【図面の簡単な説明】
【０００９】
【図１】本発明のデータ伝送システムの構成を示す概略ブロック図である。
【図２】図１の伝送装置１の構成を示す概略ブロック図である。
【図３】図１の受信装置３の構成を示す概略ブロック図である。
【図４】本発明のデータ伝送システムの動作を表す概念図である。
【図５】本発明のデータ伝送システムの動作を表す概念図である。
【図６】本発明のデータ伝送システムの動作を示すフローチャートである。
【図７】図６のＴＳ再構成処理を示すフローチャートである。
【図８】ＰＩＤ情報の一例を示す図である。
【図９】ＴＳ再構成情報の一例を示す図である。
【図１０】図６のＴＳ再構成処理を示すシーケンス図である。
【発明を実施するための形態】
【００１０】
以下、図面を参照しながら本発明の実施形態について説明する。
【００１１】
図１は、本発明のデータ伝送システムの構成を示す概略ブロック図である。本発明のデータ伝送システムは、外付けのチューナである伝送装置１と、デジタル放送受信機である受信装置３とを具備している。伝送装置１及び受信装置３は利用者に利用される。受信装置３としてはスマートフォンやタブレット等の携帯端末が例示される。伝送装置１としてはＷｉ−Ｆｉチューナが例示される。伝送装置１と受信装置３は、無線通信区間である伝送路５によりＷｉ−Ｆｉ通信を行なう。
伝送装置１は放送設備から放送波７を受信する。放送設備は、放送事業者が放送波７によりサービスを提供するものであり、放送番組の映像データ、音声データ、字幕データ、ＰＳＩ／ＳＩ（Program Specific Information／Service Information）、ＰＣＲ（Program Clock Reference）、データ放送用のデータ、蓄積データ等を多重化した放送信号を生成する。放送設備は、その放送信号を放送波７に変調し、放送用アンテナを介して放送波７を送信する。
【００１２】
放送信号は、ＡＲＩＢ（登録商標）（Association of Radio Industries and Broadcast：社団法人電波産業会）標準規格で規定される。デジタル放送によって提供される映像、音声等の各種データは、国際標準規格MPEG(Moving Picture Experts Group)2システムで規定されるＴＳパケット（Transport Stream Packet）に格納される。そのＴＳパケットは時分割で配列されて多重伝送される。ＴＳパケットには、セクションに対してＰＳＩ／ＳＩが規定されている。ＰＳＩ／ＳＩは、ＴＳパケットに格納されているデータ（Elementary Stream：ＥＳ）の種別を示す情報や、コンテンツの種別を示す情報や、周波数等の伝送路情報と放送番組とを関連付ける情報等を含んでいる。また、ＴＳパケットのＰＡＴ（Program Association Table）には、ＰＭＴ（Program Map Table）のパケット識別子（ＰＩＤ）の一覧が格納されている。
ＴＳパケットによるデータ伝送は、セクションを用いてデータを伝送する方式と、ＰＥＳ（Packetized Elementary Stream）パケットを用いてデータを伝送する方式（データストリーム伝送方式）と、に分類される。ＰＳＩ／ＳＩやデータ放送の伝送はセクションを用いて伝送され、放送番組の伝送はＰＥＳを用いて伝送される。
データ放送は、放送番組と連携するコンテンツである。データ放送向けの記述言語としては、ＢＭＬ（Broadcast Markup Language）文書が使用され、ＢＭＬはＡＲＩＢ（登録商標）により策定されている。
【００１３】
図１に示されるように、伝送装置１は、デジタル放送受信チューナであるチューナ１１と、伝送処理部２０とを具備している。チューナ１１は、放送波７により伝送されるＴＳを、受信ＴＳとして受信する。上述のように、ＴＳは、各種データ（放送番組の映像データ、音声データ、字幕データや、データ放送用のデータなど）を含むＴＳパケットが配列されている。伝送処理部２０は、その受信ＴＳを送信ＴＳとして受信装置３に伝送する。受信装置３は、出力部５０を具備している。出力部５０は、送信ＴＳを復号して得られたデータを出力する。
【００１４】
ここで、伝送路５の実効レートが放送波７の実効レート以上である場合は、受信装置３が受信する送信ＴＳは、伝送装置１が受信ＴＳを受信したときの放送波７の受信状況を反映したものとなる。そのため、伝送装置１が放送波７により受信ＴＳを良好に受信できている場合は、利用者は、受信装置３により送信ＴＳから得られたデータを良好に視聴することができる。実効レートとは、実効ビットレート、または、パケットレートである。
伝送路５の実効ビットレートとは、単位時間あたりにＴＳの伝送に割り当てることのできるデータ量（ビット数）のことである。伝送路５上のデータは、通常、無線区間の通信を行なうプロトコルで定められたヘッダ情報等が付加されているが、これらを除いた実データの量を表している。
パケットレートは、受信装置３が単位時間当たりに受信するＴＳパケットの数を表している。
しかし、Ｗｉ−Ｆｉ通信のような無線通信では、機器間の距離や周囲の電波環境の影響により、通信速度が低下する場合がある。この場合、Ｗｉ−Ｆｉ区間（伝送路５）の実効レートが放送波７の実効レートを下回ることが起こり得る。このような状態になると、伝送装置１がチューナ１１での放送波７の受信状態が良好で、誤りや欠落のないＴＳを受信ＴＳとして得られていても、受信装置３が送信ＴＳから得られたデータとして放送番組の映像データ及び音声データを出力したときに、伝送路５でのデータ欠落により、映像データにブロックノイズが発生する現象や、音声データが途切れる現象が起きるという問題がある。本発明のデータ伝送システムでは、この問題点を解決する。
【００１５】
次に、図４、５を用いて、本発明の概要について説明する。図４、５は、本発明のデータ伝送システムの動作を表す概念図である。
図４、５に示されるように、伝送装置１の伝送処理部２０は、受信バッファ１２を具備している。放送信号により伝送されるＴＳパケットのデータには、受信装置３によってリアルタイムに処理する必要があるデータが含まれている。受信装置３によってリアルタイムに処理する必要があるデータとしては、放送番組の映像データ、音声データ、字幕データ、ＰＳＩ／ＳＩ、ＰＣＲが挙げられ、図４、５において、これらを含むＴＳパケットをVideo,Audio,Cap,PCRと表記している。受信装置３によってリアルタイムにデータを処理する必要があるＴＳパケットは、伝送装置１によって一定時間毎に受信バッファ１２に格納され、伝送装置１によって一定時間毎に受信バッファ１２から読み出されて受信装置３に伝送される。
図４、５に示されるように、伝送装置１の伝送処理部２０は、更に、非リアルタイムパケットバッファ１３を具備している。放送信号により伝送されるＴＳパケットのデータには、受信装置３によってリアルタイムに処理する必要があるデータの他に、受信装置３によってリアルタイムに処理する必要のないデータが含まれている。受信装置３によってリアルタイムに処理する必要のないデータとしては、データ放送用のデータ、蓄積データが挙げられ、図４、５において、これらを含むＴＳパケットをData,IPと表記している。ここで、受信装置３によってリアルタイムにデータを処理する必要のないＴＳパケットについては、非リアルタイムパケットと称する。非リアルタイムパケットは、伝送路５の実効レートＲａが放送波７の受信実効レートＲｂよりも低いときに、伝送装置１によって一定時間毎に非リアルタイムパケットバッファ１３に格納され、伝送路５の実効レートＲａが放送波７の受信実効レートＲｂ以上になったときに、伝送装置１によって非リアルタイムパケットバッファ１３から読み出されて受信装置３に伝送される。
ここで、放送波７の実効レートと受信実効レートについて説明する。放送波７（放送ＴＳ）のビットレートは変調方式や符号化率等によって決まるが、放送ＴＳでは、有意なデータのみから構成されるMPEG2-TSに対して、パケット毎の誤り訂正符号やヌルパケットが付加されている。放送波の実効レートとは、これらの誤り訂正符号やヌルパケットを除外したデータ（すなわち元のMPEG2-TS）のビットレート（単位時間当たりのビット数）あるいはパケットレート（単位時間当たりのパケット数）のことである。これに対し、受信実効レートとは、実際にチューナで受信できたＴＳから誤り訂正符号、ヌルパケットを除外したデータのビットレートあるいはパケットレートのことを表している。チューナでの受信状態が良好な場合は、放送波７の実効レートと受信実効レートは等しいが、受信状態が悪化した場合は受信実効レートは、放送波７の実効レートより低くなる。
非リアルタイムパケットのデータのうちの、データ放送用のデータは、データカルーセル伝送方式で繰り返し伝送されるために、受信不可あるいは受信処理を行わなかったデータがあったとしても、次回以降の伝送で受信処理を行えばよいデータである。また、蓄積データは、ＩＰデータキャスト（ＩＰＤＣ）等により伝送されるＴＳパケットのデータであり、受信装置３の記憶部に蓄積されてから後で利用者が利用することを想定したデータである。
【００１６】
非リアルタイムパケットが非リアルタイムパケットバッファ１３に格納される例について具体的に説明する。
【００１７】
まず、図４（ａ）に示されるように、伝送路５の実効レートＲａが放送波７の受信実効レートＲｂ以上である場合、伝送装置１の伝送処理部２０は、チューナ１１が受信した受信ＴＳ７１から一定時間に一定量だけ読み出したＴＳパケット列として、放送番組の映像データ、音声データ、字幕データ、ＰＳＩ／ＳＩ、データ放送用のデータ、蓄積データ、ＰＣＲを表すＴＳパケットVideo0,Audio0,Cap0,PSI/SI0,Data0,IP0,PCR0を受信順に受信バッファ１２に格納する。伝送処理部２０は、一定時間毎に、受信バッファ１２に格納されたＴＳパケットVideo0,Audio0,Cap0,PSI/SI0,Data0,IP0,PCR0を受信順に送信ＴＳ８１として受信装置３に伝送する。
次に、図４（ｂ）、（ｃ）に示されるように、伝送路５の実効レートＲａが放送波７の受信実効レートＲｂよりも低い場合、伝送装置１の伝送処理部２０は、チューナ１１が受信した受信ＴＳ７２から一定時間に一定量だけ読み出したＴＳパケット列として、放送番組の映像データ、音声データ、字幕データ、ＰＳＩ／ＳＩ、データ放送用のデータ、蓄積データ、ＰＣＲを表すＴＳパケットVideo1,Audio1,Cap1,PSI/SI1,Data1,IP1,PCR1のうちの、非リアルタイムパケットData1,IP1を受信順に非リアルタイムパケットバッファ１３に格納し、上記受信ＴＳを再構成するために、それ以外のＴＳパケットを受信順に受信バッファ１２に格納する。また、伝送処理部２０は、ＴＳパケットVideo2,Audio2,Cap2,PSI/SI2,Data2,IP2,PCR2のうちの、非リアルタイムパケットData2,IP2を受信順に非リアルタイムパケットバッファ１３に格納し、それ以外のＴＳパケットを受信順に受信バッファ１２に格納する。伝送処理部２０は、一定時間毎に、受信バッファ１２に格納されたＴＳパケットVideo1,Audio1,Cap1,PSI/SI1,PCR1を受信順に再構成送信ＴＳ８２として受信装置３に伝送し、受信バッファ１２に格納されたＴＳパケットVideo2,Audio2,Cap2,PSI/SI2,PCR2を受信順に再構成送信ＴＳ８３として受信装置３に伝送する。
【００１８】
次に、図５（ａ）に示されるように、未だに伝送路５の実効レートＲａが放送波７の受信実効レートＲｂよりも低い場合、伝送装置１の伝送処理部２０は、チューナ１１が受信した受信ＴＳ７４から一定時間に一定量だけ読み出したＴＳパケット列として、放送番組の映像データ、音声データ、字幕データ、ＰＳＩ／ＳＩ、データ放送用のデータ、蓄積データ、ＰＣＲを表すＴＳパケットVideo3,Audio3,Cap3,PSI/SI3,Data3,IP3,PCR3のうちの、非リアルタイムパケットData3,IP3を受信順に非リアルタイムパケットバッファ１３に格納し、上記受信ＴＳを再構成するために、それ以外のＴＳパケットを受信順に受信バッファ１２に格納する。伝送処理部２０は、一定時間毎に、受信バッファ１２に格納されたＴＳパケットVideo3,Audio3,Cap3,PSI/SI3,PCR3を受信順に再構成送信ＴＳ８４として受信装置３に伝送する。
次に、図５（ｂ）に示されるように、伝送路５の実効レートＲａが放送波７の受信実効レートＲｂ以上になった場合、伝送装置１の伝送処理部２０は、非リアルタイムパケットバッファ１３に格納された非リアルタイムパケットについて受信装置３に伝送可能となる。
ここで、非リアルタイムパケットの送出の順番を保持するために、伝送装置１の伝送処理部２０は、チューナ１１が受信した受信ＴＳ７５から一定時間に一定量だけ読み出したＴＳパケット列として、放送番組の映像データ、音声データ、字幕データ、ＰＳＩ／ＳＩ、データ放送用のデータ、蓄積データ、ＰＣＲを表すＴＳパケットVideo4,Audio4,Cap4,PSI/SI4,Data4,IP4,PCR4のうちの、非リアルタイムパケットData4,IP4を受信順に非リアルタイムパケットバッファ１３に格納し、それ以外のＴＳパケットを受信順に受信バッファ１２に格納する。
また、伝送装置１の伝送処理部２０は、上記受信ＴＳを再構成するために、一定時間毎に、受信バッファ１２に格納されたＴＳパケットVideo4,Audio4,Cap4,PSI/SI4,PCR4に、非リアルタイムパケットバッファ１３に格納された非リアルタイムパケットData1,IP1,Data2,IP2,Data3,IP3,Data4,IP4を付加して、再構成送信ＴＳ８５として受信装置３に伝送する。例えば、伝送路５の実効レートＲａと放送波７の受信実効レートＲｂとの差分値Ｒｃが閾値Ｒｔｈ以上である場合は、伝送路５の実効レートＲａに余裕がある。この場合、伝送処理部２０は、ＴＳパケットVideo4,Audio4の伝送後に伝送路５の実効レートＲａに余裕がある場合、非リアルタイムパケットData1,IP1,Data2を伝送する。また、伝送処理部２０は、ＴＳパケットCap4,PSI/SI4,PCR4の伝送後に伝送路５の実効レートＲａに余裕がある場合、非リアルタイムパケットIP2,Data3,IP3,Data4,IP4を伝送する。
【００１９】
このように、本発明のデータ伝送システムでは、Ｗｉ−Ｆｉ通信において機器間の距離や周囲の電波環境の影響により伝送路５の実効レートＲａが放送波７の受信実効レートＲｂを下回った場合、一定時間毎に、受信ＴＳ７２〜７４のＴＳパケット列のうちの、非リアルタイムパケットを非リアルタイムパケットバッファ１３に格納し、それ以外のＴＳパケットを、再構成送信ＴＳ８２〜８４として受信装置３に伝送する。このため、本発明のデータ伝送システムによれば、受信装置３によってリアルタイムに処理する必要があるデータに対して、実効レートを低下させることなく、受信装置３に伝送することができる。したがって、本発明のデータ伝送システムによれば、伝送路５の実効レートＲａが放送波７の受信実効レートＲｂを下回った場合でも、映像データにブロックノイズが発生する現象や、音声データが途切れる現象が起きることを防止し、視聴者が快適に放送番組を視聴することができる。
【００２０】
また、本発明のデータ伝送システムでは、Ｗｉ−Ｆｉ通信において電波環境が良好になり、伝送路５の実効レートＲａが放送波７の受信実効レートＲｂ以上になったときに、一定時間毎に、受信ＴＳ７５のＴＳパケット列に、非リアルタイムパケットバッファ１３に格納された非リアルタイムパケットを付加して、再構成送信ＴＳ８５として受信装置３に伝送する。このため、本発明のデータ伝送システムによれば、伝送路５の実効レートＲａが放送波７の受信実効レートＲｂ以上になったときに、非リアルタイムパケットのデータのうちの、データ放送用のデータを視聴者に提示することができる。例えば、データ放送用のデータが広告を表している場合、視聴者は、Ｗｉ−Ｆｉ通信において電波環境が良好になったタイミングで広告を視聴することができる。
【００２１】
上述のように、本発明のデータ伝送システムでは、伝送路５の通信速度が低下した場合に、受信装置３によってリアルタイムにデータを処理する必要のないパケット（非リアルタイムパケット）の転送レートを調整し、伝送路５において受信装置３によってリアルタイムにデータを処理する必要があるパケット（リアルタイムパケット）に割り当てる帯域の割合を高めることで、リアルタイムパケットの伝送路５での欠落を防止する。また、転送レート調整により、受信装置３に送信されなかった非リアルタイムパケットは、伝送装置１内の非リアルタイムパケットバッファ１３に格納され、伝送路５の実効レートが回復して放送波７の実効レート以上になったときに、受信装置３に転送するＴＳに追加される。
ここで、ＴＳ中の非リアルタイムパケットの判別（どのＰＩＤが非リアルタイムパケットであるか否かの判別）、及び、伝送路５の実効レートの判定は、受信装置３により行われる。受信装置３は伝送路５の実効レートを監視し、伝送許可または不許可等のＴＳの再構成に必要な情報としてＰＩＤを表す情報（ＰＩＤ情報）を伝送装置１に送信する。尚、ＴＳ内に複数のサービスがある場合、受信装置３で視聴中のサービス以外のサービスのデータ（他サービスのパケットの映像データ、音声データ等）は、それらがリアルタイム性を必要とするパケットであっても不要なために、予め再構成送信ＴＳに含めないようにしておいてもよい。
【００２２】
図２に示されるように、伝送装置１は、上述のチューナ１１及び伝送処理部２０に加えて、更に、制御部１４と、無線部１８と、記憶部（図示しない）とを具備している。
制御部１４は、例えばＣＰＵ（Central Processing Unit）であり、記憶部にはコンピュータが実行可能なコンピュータプログラムが格納され、制御部１４は、そのコンピュータプログラムを読み出して実行する。制御部１４は、受信装置３から無線部１８を介して行われる各種指示（後述の受信開始指示、受信終了指示、選局指示等）により、伝送装置１全体の動作を制御する。
【００２３】
伝送処理部２０は、上述の受信バッファ１２、上述の非リアルタイムパケットバッファ１３に加えて、更に、ＴＳ再構成制御部１５と、受信レート監視部１６と、送信側同期制御部１７とを具備している。
ＴＳ再構成制御部１５は、無線部１８から受信装置３に送信するための上述の送信ＴＳ（再構成送信ＴＳ）を生成する。具体的には以下の処理を行なう。
ＴＳ再構成制御部１５は、チューナ１１が受信した受信ＴＳから一定時間毎に一定量だけ読み出したＴＳパケットを受信バッファ１２または非リアルタイムパケットバッファ１３に格納する。どちらに格納するかは、受信レート監視部１６から通知される放送波７の受信実効レートＲｂ（実効ビットレートまたはパケットレート）と、受信装置３から無線部１８を介して通知される非リアルタイムパケットのＰＩＤ情報と、受信装置３から無線部１８を介して通知される伝送路５の実効レートＲａとに基づいて判定される。
次に、ＴＳ再構成制御部１５は、受信バッファ１２からＴＳパケットを読み出し、無線部１８を介して受信装置３に送信する。ここで、受信レート監視部１６から通知される放送波７の受信実効レートＲｂと、受信装置３から無線部１８を介して通知される非リアルタイムパケットのＰＩＤ情報と、受信装置３から無線部１８を介して通知される伝送路５の実効レートＲａとに基づいて、受信バッファ１２に格納されたＴＳパケットに、非リアルタイムパケットバッファ１３に格納された非リアルタイムパケットを付加して、再構成送信ＴＳとして受信装置３に伝送する。
受信レート監視部１６は、チューナ１１がＴＳを受信したときの放送波７の受信実効レートＲｂを監視してＴＳ再構成制御部１５に通知する。受信レート監視部１６は、ＴＳ全体とＰＩＤ毎の実効レートを監視する機能を有している。
【００２４】
本発明では、ＴＳパケット列の中から、非リアルタイムパケットを削除し、後で非リアルタイムパケットをＴＳパケット列に挿入するため、ＰＣＲを伝送するＴＳパケットや、映像データ、音声データ、字幕データのＰＴＳ（Presentation Time Stamp）を伝送するＴＳパケットのＴＳ上での時間位置が、放送局が送出したＴＳ上での時間位置に対してずれるために、受信装置３において映像データ、音声データ、字幕データの出力タイミングがずれる可能性がある。この場合、例えば映像データの処理が、ＰＴＳで示される時刻での表示に間に合わずに、表示できないピクチャが出る恐れがある。そこで、送信側同期制御部１７は、受信装置３が再構成ＴＳのＰＣＲやＰＴＳの時刻情報を補正できるように、伝送装置１内で生成するタイミング情報を各パケットに付加する。このタイミング情報は、例えば伝送装置１内でμｓｅｃ単位で時刻を得ることができるタイマから生成される。
【００２５】
図３に示されるように、受信装置３は、上述の出力部５０に加えて、更に、無線部３１と、操作部４１と、制御部４２と、情報通知部４３と、記憶部（図示しない）とを具備している。
操作部４１は、利用者が各種指示を行なうものである。各種指示としては、利用者が操作部４１を操作して放送番組の視聴を開始するための受信開始指示と、利用者が操作部４１を操作して放送番組の視聴を終了するときための受信終了指示と、利用者が操作部４１を操作して放送番組を選局するための選局指示とが挙げられる。各種指示は制御部４２に出力される。
制御部４２は、例えばＣＰＵであり、記憶部にはコンピュータが実行可能なコンピュータプログラムが格納され、制御部４２は、そのコンピュータプログラムを読み出して実行する。制御部４２は、受信装置３全体の動作を制御する。制御部４２は、操作部４１から出力される各種指示を、無線部３１を介して伝送装置１に送信する。
【００２６】
出力部５０は、ＴＳ−ＤＥＭＵＸ部３２と、同期制御部３３と、字幕処理部３４と、ＡＶ処理部３５と、ＴＳ解析部３６と、蓄積処理部３７と、データ放送処理部３８と、音声出力部３９と、表示部４０とを具備している。
ＴＳ−ＤＥＭＵＸ部３２は、伝送装置１から無線部３１を介してＴＳを入力し、ＴＳをＰＩＤ毎に分離してＴＳパケットを出力する。
ＴＳ解析部３６は、ＴＳ−ＤＥＭＵＸ部３２から出力されたＴＳパケットのうちの、ＰＳＩ／ＳＩを表すＴＳパケットを解析し、受信対象サービスの映像データ、音声データ、字幕データ、データ放送用のデータ、蓄積データ等の各ＥＳのＰＩＤの中から、ＴＳの再構成時において実効レートを調整するためのパケット（非リアルタイムパケットや他サービスパケット等）である実効レート調整対象パケットのＰＩＤを特定して、ＰＩＤ情報として情報通知部４３に出力する。非リアルタイムパケットのＰＩＤは、ＰＭＴに記載される情報から得られる。また、ＴＳパケットのＰＳＩ／ＳＩのＮＩＴ（Network Information Table）を解析することで受信中のＴＳが複数のサービスを有するか否かが分かる。また、ＴＳ解析部３６は、無線部３１がＴＳを受信したときの伝送路５の実効レートＲａを監視して、情報通知部４３に出力する。
情報通知部４３は、ＴＳ解析部３６から出力された実効レート調整対象パケット（非リアルタイムパケットや他サービスパケット等）のＰＩＤ情報、及び、伝送路５の実効レートＲａを、無線部３１を介して伝送装置１に通知する。
同期制御部３３は、受信したＰＣＲに基づいて、ＳＴＣ（System Time Clock）を生成する。また、受信ＴＳパケットにタイミング情報が付加される場合は、付加されたタイミング情報を基に、ＰＣＲパケットと映像・音声・字幕のＰＴＳ値を補正する。この場合、ＳＴＣの生成は補正されたＰＣＲを基に行われる。
ＡＶ処理部３５は、ＴＳ−ＤＥＭＵＸ部３２から出力される映像データを表すＴＳパケットから映像ＰＥＳを構築し、音声データを表すＴＳパケットから音声ＰＥＳを構築する。ＡＶ処理部３５は、構築された映像ＰＥＳ、音声ＰＥＳを解析してデコードを行なう。デコード後の映像データは表示部４０に表示され、音声データは映像データに同期して音声出力部３９から出力される。字幕処理部３４は、ＴＳ−ＤＥＭＵＸ部３２から出力される字幕データを表すＴＳパケットから字幕ＰＥＳを構築し、構築された字幕ＰＥＳを解析してデコードを行なう。デコード後の字幕データは映像データに同期して表示部４０に表示される。
データ放送処理部３８は、ＴＳ−ＤＥＭＵＸ部３２から出力されるデータ放送用のデータを表すＴＳパケットからデータ放送のセクション（DSMCC Section）を構築し、DSMCC Sectionから得られる情報によりデータ放送の表示を行う。また、受信装置３におけるデータ放送に対する利用者の操作（リンク先遷移等）の処理も行なう。
蓄積処理部３７は、ＴＳ−ＤＥＭＵＸ部３２から出力される蓄積データを表すＴＳパケットから蓄積ファイルを再構築し、受信装置３の記憶部に格納する。
【００２７】
本発明のデータ伝送システムの動作について、上述の構成と図６〜１０とを用いて具体的に説明する。
【００２８】
まず、本発明のデータ伝送システムでは、伝送装置１及び受信装置３は、利用者が放送番組を視聴する前にＷｉ−Ｆｉ通信が可能になっている必要がある。伝送装置１及び受信装置３は、ペアリングを確立する（図６のＳ０１、Ｓ３１）。伝送装置１では、受信装置３からの受信開始指示を待ち（図６のＳ０２）、受信装置３では、利用者による指示を待つ（図６のＳ３２−Ｎｏ）。
【００２９】
利用者は、放送番組の視聴を開始すると共に選局する場合、受信装置３の操作部４１を操作して受信開始指示と選局指示とを行なう（図６のＳ３２−Ｙｅｓ）。ここで、通常、視聴開始時には、それ以前に利用者が放送番組を視聴したときのチャンネルが選択される。この場合、受信開始指示及び選局指示が伝送装置１に送信されるが、利用者が行なう操作は受信開始指示のみとなる。受信装置３は、受信開始指示及び選局指示を伝送装置１に送信する（図６のＳ３３）。受信装置３において、ＴＳ解析処理の開始として、制御部４２が、ＴＳ−ＤＥＭＵＸ部３２、ＴＳ解析部３６、出力部５０を起動させる。例えば、制御部４２は、ＴＳ−ＤＥＭＵＸ部３２にＴＳ解析に必要なセクションの構築指示と、ＴＳ解析部３６にＰＳＩ／ＳＩセクションの解析開始指示とを行なう（図６のＳ３４）。受信装置３では、伝送装置１からのＴＳを待つ（図６のＳ３５−Ｎｏ）。
【００３０】
伝送装置１は、受信装置３からの受信開始指示及び選局指示を受信する（図６のＳ０２−Ｙｅｓ）。このとき、伝送装置１において、受信開始処理として、制御部１４が、受信装置３からの受信開始指示及び選局指示に応じて、チューナ１１を起動させて選局を行なう（図６のＳ０３）。伝送装置１において、チューナ１１は、放送波７により伝送され、かつ、選局に応じたＴＳを受信ＴＳとして受信する。ＴＳ再構成制御部１５は、チューナ１１が受信した受信ＴＳから一定時間毎に一定量だけＴＳパケットを読み出し（図６のＳ０４）、受信バッファ１２に書き込む（図６のＳ０５）。ＴＳ再構成制御部１５は、受信バッファ１２から一定時間毎にＴＳパケットを読み出し、送信ＴＳとして、無線部１８を介して受信装置３に伝送する（図６のＳ０６）。伝送装置１では、受信装置３からのＰＩＤ情報の通知を待つ（図６のＳ０７−Ｎｏ）。
【００３１】
受信装置３は、伝送装置１からの送信ＴＳを受信する。このとき、受信装置３において、ＴＳ−ＤＥＭＵＸ部３２は送信ＴＳをＴＳパケットに分離し、出力部５０に出力する（図６のＳ３５−Ｙｅｓ）。ＴＳ−ＤＥＭＵＸ部３２によるパケット分離は伝送装置１から送信ＴＳを受信する毎に行なわれる。出力部５０のＴＳ解析部３６は、選局直後の最初のＮＩＴを含むＰＳＩ／ＳＩを表すＴＳパケットを受信したときに、そのＮＩＴを解析し、当該ＴＳパケットが複数のサービスを有するか否かの情報を取得する（図６のＳ３６）。それ以降は内容に更新のない限りＮＩＴの解析は行わない。ここで、複数のサービスで実効レートが不十分な場合、伝送路５の実効レートを下げるために、選局対象のサービス以外は伝送装置１から伝送されるＴＳパケットに含めないようにしてもよい。ＴＳ解析部３６は、ＴＳパケットのＰＡＴを解析し、送信ＴＳに含まれる各サービスのＰＭＴのＰＩＤを取得する（図６のＳ３７）。ＴＳ解析部３６は、視聴対象サービスのＰＭＴを解析し、各ＥＳ（映像データ、音声データ、データ放送用のデータ、蓄積データ等）のＰＩＤ情報を取得する（図６のＳ３８）。ここで、視聴サービス（映像データ、音声データ）のＰＭＴにおいて、蓄積データを表すＴＳパケットの情報も取得していることとしているが、蓄積データが別サービスで提供される場合には、視聴サービスのＰＭＴとは別に、蓄積サービス（蓄積データ）のＰＭＴを解析して蓄積データを表すＴＳパケットのＰＩＤ情報を取得することもできる。出力部５０において、視聴開始処理として、ＡＶ処理部３５は、ＴＳ−ＤＥＭＵＸ部３２から出力されるＴＳパケットから映像データ、音声データをデコードし、それぞれ表示部４０、音声出力部３９に出力する（図６のＳ３９）。出力部５０において、情報通知部４３は、ＴＳ解析部３６から出力された各ＥＳ（映像データ、音声データ、データ放送用のデータ、蓄積データ等）のＰＩＤ情報に、優先度を付加して伝送装置１に通知する（図６のＳ４０）。ここで、各ＥＳのＰＩＤに変更があった場合は更新したＰＩＤ情報を伝送装置１に通知する。
【００３２】
図８に示されるように、優先度は「１」、「２」、「３」、「４」に分類されている。優先度「１」は、最上位の優先度であり、常時伝送するＴＳパケットを表している。伝送路５の実効レートＲａが放送波７の受信実効レートＲｂよりも低い場合、優先度の低いＴＳパケットから伝送を止める。優先度「２」は優先度「１」より低く、優先度「３」は優先度「２」よりも低い。優先度「２」、「３」は、伝送路５の実効レートＲａが放送波７の受信実効レートＲｂよりも低い場合に、伝送装置１の非リアルタイムパケットバッファ１３に格納されるＴＳパケットを表している。優先度「４」は他サービス視聴時に必要となるＴＳパケットであるが、これらを伝送しないと、視聴サービス切替時のパフォーマンス（受信装置３での利用者の操作から指定サービスの映像・音声表示まで）に影響するため、伝送路５の実効レートＲａが十分な場合には伝送を止めない。優先度「４」においては、予め別サービスのＰＭＴ（例えば、図８のＰＭＴ２、３）を解析して、別サービスに含まれる各ＥＳのＰＩＤを優先度４として通知してもよい（通知しない場合は別サービスのＰＭＴを予め解析する必要はない）。
【００３３】
受信装置３の出力部５０において、情報通知部４３は、伝送路５の実効レートＲａの監視をして、一定時間毎に受信したＴＳパケットの数をカウントする（図６のＳ４１）。情報通知部４３は、そのカウント値を表すパケットレートを、伝送路５の実効レートＲａとして伝送装置１に通知する（図６のＳ４２）。実効レートＲａの通知は、利用者が放送番組の視聴を終了するまで行なわれる（図６のＳ４３−Ｎｏ）。ここで通知するパケット数は、伝送路５の実効レートの急激な変化の影響を取り除くために、数１０秒前からの移動平均の値としてもよい。
【００３４】
伝送装置１は、受信装置３からの各ＰＩＤ情報を受信する（図６のＳ０７−Ｙｅｓ）。このとき、伝送装置１において、受信レート監視部１６は、ＰＩＤ毎の実効レートの計測として、受信装置３から通知された各ＰＩＤ情報が、チューナ１１が受信するＴＳに一定時間内にどれだけ含まれるかをカウントする。受信レート監視部１６は、そのカウント値を表すパケットレートを、放送波７の実効レートとする（図６のＳ０８）。この計測はチューナ１１の受信状態が良好なときに行なう。ＴＳ再構成制御部１５は、受信装置３から通知されたＰＩＤ情報と、受信レート監視部１６により計測されたＰＩＤ毎の実効レートとに基づいて、図９に示されるようなＴＳ再構成情報を生成する（図６のＳ０９）。具体的には、図９（ａ）に示されるように、ＴＳ再構成制御部１５は、受信装置３から通知されるＰＩＤ情報から、ＴＳ再構成時に削除対象可能なＴＳパケットのＰＩＤのリストを抽出する。次に、図９（ｂ）に示されるように、ＴＳ再構成制御部１５は、優先度の低いＰＩＤから削除した場合に低下する実効レート（この場合、パケットレート）と、バッファリング対象とする非リアルタイムパケットのリストのパターンを生成する。伝送装置１では、受信装置３からの実効レートの通知を待つ（図６のＳ１０−Ｎｏ）。伝送装置１は、受信装置３からの実効レート（伝送路５の実効レートＲａ）を受信する（図６のＳ１０−Ｙｅｓ）。このとき、伝送装置１は、ＴＳ再構成処理を実行する（図６のＳ１１）。
【００３５】
ＴＳ再構成処理について、図７及び図１０を用いて説明する。ＴＳ再構成制御部１５は、チューナ１１が受信した受信ＴＳから一定時間毎に一定量だけＴＳパケットを読み出す（図７のＳ６１）（図１０のＳ１０１、Ｓ１０２）。ＴＳ再構成制御部１５は、受信装置３から一定時間毎に通知される伝送路５の実効レートＲａ（この場合、パケットレート）を取得し（図７のＳ６２）、チューナ１１が受信した受信ＴＳから一定時間毎に監視された放送波７の受信実効レートＲｂを受信レート監視部１６から取得する（図７のＳ６３）（図１０のＳ１０３、Ｓ１０４）。
【００３６】
伝送路５の実効レートＲａが放送波７の受信実効レートＲｂよりも低い場合（図７のＳ６４−Ｙｅｓ）、ＴＳ再構成制御部１５は、再構成パターン判定として、どのＴＳ再構成パターン（図９（ｂ）参照）であれば、受信装置３に伝送可能か否かを判定する（図７のＳ６５）。判定の結果、バッファリング対象とする非リアルタイムパケットが存在する場合（図７のＳ６６−Ｙｅｓ）、ＴＳ再構成制御部１５は、パケット振り分け処理として、一定時間に一定量だけ読み出したＴＳパケット列のうちの、送信不要なＴＳパケット（他サービスのＰＭＴ等）を削除し、非リアルタイムパケットを非リアルタイムパケットバッファ１３に格納し、それ以外のＴＳパケットを受信バッファ１２に格納する（図７のＳ６７）（図１０のＳ１０５、Ｓ１０６）。その後、ＴＳ再構成制御部１５は、受信バッファ１２からＴＳパケットを読み出して（図７のＳ６９）、再構成送信ＴＳとして、無線部１８を介して受信装置３に伝送する（図７のＳ７７）。一方、判定の結果、バッファリング対象とする非リアルタイムパケットが存在しない場合（図７のＳ６６−Ｎｏ）、ＴＳ再構成制御部１５は、パケット削除処理として、一定時間に一定量だけ読み出したＴＳパケット列のうちの、送信不要なＴＳパケットを削除し、それ以外のＴＳパケットを受信バッファ１２に格納する（図７のＳ６８）。その後、ＴＳ再構成制御部１５は、受信バッファ１２からＴＳパケットを読み出して（図７のＳ６９）、再構成送信ＴＳとして、無線部１８を介して受信装置３に伝送する（図７のＳ７７）。
【００３７】
伝送路５の実効レートＲａが放送波７の受信実効レートＲｂ以上になった場合（図７のＳ６４−Ｎｏ）、ＴＳ再構成制御部１５は、パケット振り分け処理として、一定時間に一定量だけ読み出したＴＳパケット列のうちの、送信不要なＴＳパケット（他サービスのＰＭＴ等）を削除し、非リアルタイムパケットを非リアルタイムパケットバッファ１３に格納し、それ以外のＴＳパケットを受信バッファ１２に格納する（図７のＳ７０）。ここで、非リアルタイムパケットの送出順（配列順）を保持するため、一度ＴＳ再構成（非リアルタイムパケットのバッファリングと、後からのＴＳへの挿入）が行われた後は、伝送路５の実効レートＲａが十分な場合でも必ず非リアルタイムパケットバッファ１３のバッファリングを行なう。ＴＳ再構成制御部１５は、非リアルタイムパケットバッファ１３にデータ（非リアルタイムパケット）が存在するか否かを確認する（図７のＳ７１）。確認の結果、非リアルタイムパケットバッファ１３に非リアルタイムパケットが存在しない場合（図７のＳ７１−Ｎｏ）、ＴＳ再構成制御部１５は、受信バッファ１２からＴＳパケットを読み出して（図７のＳ６９）、再構成送信ＴＳとして、無線部１８を介して受信装置３に伝送する（図７のＳ７７）。一方、確認の結果、非リアルタイムパケットバッファ１３に非リアルタイムパケットが存在する場合（図７のＳ７１−Ｙｅｓ）、ＴＳ再構成制御部１５は、伝送路５の伝送余力の算出として、伝送路５の実効レートＲａと放送波７の受信実効レートＲｂとの差分値Ｒｃを算出する（図７のＳ７２）。ＴＳ再構成制御部１５は、その伝送余力（差分値Ｒｃ）が閾値Ｒｔｈ以上であるか否かを検証する（図７のＳ７３）。ここで、閾値Ｒｔｈは、予め設定されていて、例えば、５０［packets/s］であるものとする。
【００３８】
検証の結果、伝送余力（差分値Ｒｃ）が閾値Ｒｔｈよりも低い場合、ＴＳ再構成制御部１５は、受信バッファ１２からＴＳパケットを読み出して（図７のＳ６９）、再構成送信ＴＳとして、無線部１８を介して受信装置３に伝送する（図７のＳ７７）。一方、検証の結果、伝送余力（差分値Ｒｃ）が閾値Ｒｔｈ以上である場合、すなわち、伝送路５の実効レートＲａが放送波７の受信実効レートＲｂ以上になり、かつ、実効レートＲａに余裕がある場合、ＴＳ再構成制御部１５は、非リアルタイムパケットバッファ１３から非リアルタイムパケットを読み出して（図７のＳ７４）（図１０のＳ１０７、Ｓ１０８）、受信バッファ１２からＴＳパケットを読み出す（図７のＳ７５）（図１０のＳ１０９、Ｓ１１０）。このとき、ＴＳ再構成制御部１５は、そのＴＳパケットに非リアルタイムパケットを付加して（図７のＳ７６）、再構成送信ＴＳとして、無線部１８を介して受信装置３に伝送する（図７のＳ７７）（図１０のＳ１１１）。
【００３９】
伝送装置１から再構成送信ＴＳが受信装置３に伝送されたときに、上述のＴＳ再構成処理は終了する。この場合、伝送装置１では、受信装置３からの指示を待つ（図６のＳ１２−Ｎｏ）。利用者は、放送番組の視聴を終了する場合、受信装置３の操作部４１を操作して受信終了指示を行なう（図６のＳ４３−Ｙｅｓ）。このとき、受信装置３は、受信終了指示を伝送装置１に送信する（図６のＳ４４）。受信装置３において、視聴終了処理として、制御部４２が、ＴＳ−ＤＥＭＵＸ部３２、ＴＳ解析部３６、出力部５０の起動を終了させる（図６のＳ４５）。伝送装置１は、受信装置３からの受信終了指示を受信する（図６のＳ１２−Ｙｅｓ）。このとき、伝送装置１において、受信終了処理として、制御部１４が、受信装置３からの受信終了指示に応じて、チューナ１１の起動を終了させる（図６のＳ１３）。
尚、視聴中に伝送区間の実効レートが低下したままだった場合は、視聴終了後に、伝送装置１は、非リアルタイムパケットバッファ１３に格納されたＴＳパケット（蓄積パケット）のみを転送することで、受信装置３は、その蓄積パケットを得ることができる（蓄積データ等視聴終了後に受信しても意味のあるデータの場合）。データ放送の場合、伝送装置１は視聴終了時点で非リアルタイムパケットバッファ１３内のデータを破棄する。
【００４０】
以上の説明により、本発明のデータ伝送システムによれば、伝送路５の実効レートＲａが放送波７の受信実効レートＲｂを下回った場合でも、映像データにブロックノイズが発生する現象や、音声データが途切れる現象が起きることを防止し、視聴者が快適に放送番組を視聴することができる。
【００４１】
以上、本発明について詳述してきたが、具体的な構成は実施形態に限られるものではなく、この発明の要旨を逸脱しない範囲の設計等も特許請求の範囲に含まれる。
例えば、本発明では伝送路５が無線通信であるが、これに限定されない。伝送路５が有線であっても、他のアプリケーションと帯域を共有していて、他のアプリケーションの要因により、ＴＳ伝送に割り当てられる帯域が変化する場合であっても、本発明は適用可能である。
【符号の説明】
【００４２】
１…伝送装置、３…受信装置、５…伝送路、７…放送波、１１…チューナ、１２…受信バッファ、１３…非リアルタイムパケットバッファ、２０…伝送処理部、５０…出力部
【図１】
2015198397.tif 000003
【図２】
2015198397.tif 000004
【図３】
2015198397.tif 000005
【図４】
2015198397.tif 000006
【図５】
2015198397.tif 000007
【図６】
2015198397.tif 000008
【図７】
2015198397.tif 000009
【図８】
2015198397.tif 000010
【図９】
2015198397.tif 000011
【図１０】
2015198397.tif 000012